(57)【要約】【課題】扉反転装置の信号伝送用のケーブル等、信号ケーブルの配線時に据付作業を容易にし、また、防犯窓や大型窓付時に扉開閉動作によってケーブルが見えないようにし、また、乗場側ヘケーブルが飛び出してしまい乗場機器と干渉のないエレベータのドア装置を得る。【解決手段】一端がエレベータの出入口２ａを開閉する扉３に設けられた検知手段に接続され、他端が所定の固定部に配設された端子に接続された信号ケーブル１２を備えたエレベータのドア装置において、上記出入口上方の固定部に、上記扉の開閉に応じて上記信号ケーブルを繰り出し、又は巻取るように動作して該信号ケーブルの中央部の弛みを吸収するケーブル巻取りローラ１３を備えるようにした。【選択図】図１
2007284210.tif 000002
【特許請求の範囲】
【請求項１】
一端がエレベータの出入口を開閉する扉に設けられた検知手段に接続され、他端が所定の固定部に配設された端子に接続された信号ケーブルを備えたエレベータのドア装置において、上記出入口上方の固定部に、上記扉の開閉に応じて上記信号ケーブルを繰り出し、又は巻取るように動作して該信号ケーブルの中央部の弛みを吸収するケーブル巻取りローラを備えたことを特徴とするエレベータのドア装置。
【請求項２】
上記出入口上方の固定部を構成する桁部材と、この桁部材に対して軸支された上記扉を開閉させる伝道ロープが巻き掛けられる滑車を備え、上記ケーブル巻取りローラは、上記滑車と同軸に設けられてなることを特徴とする請求項１記載のエレベータのドア装置。
【請求項３】
上記出入口上方の固定部を構成する桁部材を備え、上記ケーブル巻取りローラは、この桁部材に固定された、バネ又は電動機によって上記信号ケーブルを巻き取るものであることを特徴とする請求項１記載のエレベータのドア装置。
【請求項４】
上記桁部材に固定されたドアレールと、このドアレール上を移動する戸車を介して上記扉を保持するドアハンガーを備え、上記信号ケーブルは、上記ドアハンガーを介して上記ケーブル巻取りローラに巻き掛けられてなることを特徴とする請求項２または請求項３記載のエレベータのドア装置。
【発明の詳細な説明】
【技術分野】
【０００１】
この発明はエレベータのドア装置、特に扉の安全装置などに用いられる信号ケーブルの保持構造の改良に関する。
【背景技術】
【０００２】
従来の技術として、エレベータの乗りかご出入口上部に取り付けられたドアレールと、このドアレールにハンガーを介して移動自在に支持された少なくとも１枚のドアパネルと、このドアパネルの端部にセーフティシューや光電装置等からの信号を制御部へ伝送する複数本のケーブルを備えたエレベータのドア装置において、一端がドア制御装置の固定部に、他端が上記かごドアの上部またはドアハンガーに連結され、かごドアの開閉とともに回転可能に支持されたガイドチェーンを設け、該ガイドチェーンの中に上記ケーブルを通り支持するようにしたものがある（例えば特許文献１参照。）。
【０００３】
【特許文献１】特開平１１−３４３０８６号公報（第１頁、図３）
【発明の開示】
【発明が解決しようとする課題】
【０００４】
上記のように構成された従来装置においては、出入口幅が大きいときなどガイドチェーンが長くなる構成を取らざるを得ない場合に、ガイドチェーンを保持することが難しく、ガイドチェーン自体が垂れ下がってしまい、実用化が困難という課題があった。また、ガイドチェーンの屈曲によって、ガイドチェーン同士もしくはその他のドア装置構成部品と干渉して異音が発生することがあり、その場合には静寂なエレベータドア装置を得ることが難しいなどの課題もあった。
【０００５】
この発明は、上記のような従来技術の課題を解消するためになされたもので、例えば扉反転装置の信号伝送用のケーブル等、信号ケーブルの配線作業を容易にし、また、扉に防犯窓や大型窓が設けられている場合に、扉開閉動作によって信号ケーブルが見えることがなく、また信号ケーブルが乗場機器と干渉する恐れのないエレベータのドア装置を得ることを目的とする。
【課題を解決するための手段】
【０００６】
この発明によるエレベータのドア装置は、一端がエレベータの出入口を開閉する扉に設けられた検知手段に接続され、他端が所定の固定部に配設された端子に接続された信号ケーブルを備えたエレベータのドア装置において、上記出入口上方の固定部に、上記扉の開閉に応じて上記信号ケーブルを繰り出し、又は巻取るように動作して該信号ケーブルの中央部の弛みを吸収するケーブル巻取りローラを備えるようにしたものである
【発明の効果】
【０００７】
この発明においては、出入口上方の固定部に設けたケーブル巻取りローラによって信号ケーブルの中央部の弛みを吸収するようにしたことにより、信号ケーブルの引き回しが容易で、窓付の扉の場合に信号ケーブルが見えない位置に配設することも容易となる。また、ガイドチェーンを用いないので垂れ下がりや屈曲による不具合も解消できる。
【発明を実施するための最良の形態】
【０００８】
実施の形態１．
図１及び図２は、この発明の実施の形態１によるエレベータのドア装置を説明するもので、図１は扉が閉じているときの全体構成を概念的に示す正面図、図２は要部を示す側面図である。図において、エレベータのドア装置１は、乗りかご２の出入口２ａを開閉する扉３、乗りかご２の上部に設けられた桁部材４に固定されたドアレール５、ドアレール５上を移動する戸車６を介して扉３を吊下するドアハンガー７、桁部材４に対して軸支され扉３を開閉させる伝道ロープ８が巻き掛けられた一対の滑車９、伝道ロープ８を駆動する扉開閉用電動機１０、扉３の閉じるときの先端部（図の右方側）に設けられた乗客や荷物等の挟まれを検知するセーフティシュー１１、セーフティシュー１１が変位したときに動作する図示省略している検知スイッチや光電装置等検知手段の信号を伝送する信号ケーブル１２、及び信号ケーブル１２の弛みをなくすケーブル巻取りローラ１３などから構成されている。
【０００９】
上記ケーブル巻取りローラ１３は、この実施の形態１では滑車９と略同一径に形成されて同軸に設けられ、かつ滑車９と同期して同じ回転速度で回動することにより、信号ケーブル１２の中央部を該ケーブル巻取りローラ１３の外周面で巻取り、または繰り出すように動作する。信号ケーブル１２の一端側を構成する扉側信号ケーブル１２ａは図１のＡ部でドアハンガー７に固定され、ドアハンガー７に沿って係止された後、扉３の内部に導入され、その一端（先端部）は図示省略している検知手段に電気的に接続されている。一方、他端側を構成する固定部側信号ケーブル１２ｂはケーブル巻取りローラ１３の中心部から電気的な接触を常時保持して導出され（詳細図示省略）、その他端（先端部）は図示省略している所定の固定部に配設された例えば制御回路や集線ボックスなどの端子に電気的に接続されている。なお、上記検知手段、扉３の開閉機構等は従来装置と同様であるので説明を省略する。また、各図を通じて同一符号は同一または相当部分を示すものとする。
【００１０】
次に、上記のように構成された実施の形態１の動作について説明する。先ず、扉３が閉じている状態では図１に示すように扉側信号ケーブル１２ａは、ケーブル巻取りローラ１３から繰り出され、ケーブル巻取りローラ１３とＡ点の間は、信号ケーブル１２ａに無理な力がかからない適度なテンションで直線的に扉３上方空間部に張られている。次に、扉３が開動作するときは、扉開閉用電動機１０の駆動力によって伝道ロープ８を介して滑車９が矢印Ｂ方向に回転され、扉３が矢印Ｃ方向に移動して出入口２ａを開く。このとき、滑車９に連動してケーブル巻取りローラ１３が矢印Ｂ方向へ同速度で回転することにより、扉側信号ケーブル１２ａはケーブル巻取りローラ１３の外周面に巻き取られていく。伝道ロープ８と扉３の移動速度は等しく、滑車９とケーブル巻取りローラ１３の外径も略等しいことにより、信号ケーブル１２の中央部に弛みを生じることもない。
【００１１】
上記のように、実施の形態１によればガイドチェーンなどの信号ケーブル配線用のガイド類を設ける必要がなく、ドア装置１の側面部での配線を行なう手間がなくなるため、エレベータ据付時に従来はかご上から行っていた作業を工場もしくは乗場側から行なうことが可能になる。また、信号ケーブル１２を扉３の上部から引き出してドアレール５の上方で水平方向に延在するようにしたので、扉３が窓付きの場合、開閉動作によって窓から信号ケーブル１２が見えることもなく、意匠性も向上する。また、ドア装置の中で配線するため、配線方法によって乗場側へ飛び出すこともなく、乗場機器への干渉及び引掛りを防ぐことができるなどの効果が得られる。
【００１２】
実施の形態２．
図３はこの発明の実施の形態２によるエレベータのドア装置の全体構成を概念的に示す正面図である。図において、桁部材４における図の左側に配設された滑車９の下部には、信号ケーブル１２の中央部の弛みを無くすためのケーブル巻取りローラ１４が設けられている。このケーブル巻取りローラ１４は、図示省略しているばねを内装しており、図のように扉側信号ケーブル１２ａがケーブル巻取りローラ１４から繰り出されたときには、信号ケーブル１２を巻き取るのに充分な量だけ該ばねによって図の矢印Ｄ方向に回動させるように蓄勢されている。また、扉側信号ケーブル１２ａは、ドアハンガー７の左側上端部のＥ点に対して図１に示す実施の形態１と同様に固定されている（固定部材図示省略）。その他の構成は上記実施の形態１と同様であるので説明を省略する。
【００１３】
上記のように構成された実施の形態２においては、ばねの蓄勢力で回転するようにしたケーブル巻取りローラ１４を用いて信号ケーブル１２の中央部の弛みを除くようにしたので、扉３の開閉動作の間、信号ケーブル１２は所定範囲内の張力で常時緊張するように保持され、弛みを完全に防止して信号ケーブル１２に局部的な応力がかかるのを防ぐことができる。この他、実施の形態１と同様の効果を奏することができる。なお、ばねの蓄勢力に代えて、電動機を用いて巻き取るようにしても良く、この場合、信号ケーブル１２に対して常時例えば一定のバックテンションがかかるように制御することもできる。
【００１４】
なお、上記実施の形態の説明では、ケーブル巻取りローラ１３、または１４を扉３が開く方向の端部側に設けたが、その反対側に設けても同様の効果が得られる。また。ケーブル巻取りローラ１３、または１４を乗りかご２に設けたが、乗場側に設けることもできる。扉３が１枚構成の場合について説明したが、片側複数枚構成の扉、あるいは両開きの扉にも同様に適用できることは言うまでもない。さらに信号ケーブル１２の種類や構成なども特に限定されるものではない。また、ケーブル巻取りローラ１３、または１４は、扉側信号ケーブル１２ａのみを巻取るように構成したが、ケーブル巻取りローラ１３、または１４を桁部材４などの固定部に対して左右方向に移動可能に設け、固定部側信号ケーブル１２ｂを含め双方を同時に巻取りまたは繰り出すように構成しても良い。
【図面の簡単な説明】
【００１５】
【図１】この発明の実施の形態１によるエレベータのドア装置における扉が閉じているときの全体構成を概念的に示す正面図。
【図２】図１の要部を示す側面図。
【図３】この発明の実施の形態２によるエレベータのドア装置の全体構成を概念的に示す正面図。
【符号の説明】
【００１６】
１  ドア装置、  ２  乗りかご、  ２ａ  出入口、  ３  扉、  ４  桁部材、  ５  ドアレール、  ６  戸車、  ７  ドアハンガー、  ８  伝道ロープ、  ９  滑車、  １０  扉開閉用電動機、  １１  セーフティシュー、  １２  信号ケーブル、  １２ａ  扉側信号ケーブル、  １２ｂ  固定部側信号ケーブル、  １３、１４  ケーブル巻取りローラ。
【図１】
2007284210.tif 000003
【図２】
2007284210.tif 000004
【図３】
2007284210.tif 000005